【手続補正書】
【提出日】平成24年3月2日(2012.3.2)
【手続補正１】
【補正対象書類名】明細書
【補正対象項目名】０００６
【補正方法】削除
【補正の内容】
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
請求項１に記載の発明の画像処理装置は、
少なくとも二つの画像において、一方の画像における他方の画像を合成すべき領域を指示する領域指示手段と、この領域指示手段によって指示された一方の画像の合成すべき領域の明るさを取得する明るさ取得手段と、前記他方の画像の明るさが、前記明るさ取得手段によって取得された一方の画像の合成すべき領域の明るさに近づくように処理を施し、前記二つの画像を合成する合成手段と、を備えたことを特徴としている。
【手続補正７】
【補正対象書類名】明細書
【補正対象項目名】００１２
【補正方法】変更
【補正の内容】
【００１２】
請求項２に記載の発明の画像処理装置は、請求項１に記載の画像処理装置において、
前記少なくとも二つの画像において、一方の画像における光源の位置を特定する特定手段と、前記一方の画像において、他方の画像を合成すべき位置を指示する位置指示手段とを更に備え、前記合成手段は、更に、前記一方の画像の光源の位置と前記位置指示手段によって指示された位置とに基づいて前記他方の画像に処理を施し、前記二つの画像を合成することを特徴としている。
【手続補正８】
【補正対象書類名】明細書
【補正対象項目名】００１３
【補正方法】変更
【補正の内容】
【００１３】
請求項３に記載の発明は、請求項２に記載の画像処理装置において、
前記処理は、前記他方の画像の明るさを調整する処理、及び、前記他方の画像に影を付ける処理の少なくとも一方を含むことを特徴としている。
【手続補正９】
【補正対象書類名】明細書
【補正対象項目名】００１４
【補正方法】変更
【補正の内容】
【００１４】
請求項４に記載の発明は、請求項１〜３の何れか一項に記載の画像処理装置において、
前記他方の画像とは、背景と被写体とが存在する画像から被写体が含まれる領域を切り抜いた被写体画像であることを特徴としている。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
また、請求項５に記載の発明のプログラムは、
画像処理装置のコンピュータを、少なくとも二つの画像において、一方の画像における他方の画像を合成すべき領域を指示する領域指示手段、この領域指示手段によって指示された一方の画像の合成すべき領域の明るさを取得する明るさ取得手段、前記他方の画像の明るさが、前記明るさ取得手段によって取得された一方の画像の合成すべき領域の明るさに近づくように処理を施し、前記二つの画像を合成する合成手段、として機能させることを特徴としている。
【手続補正１２】
【補正対象書類名】明細書
【補正対象項目名】００１７
【補正方法】削除
【補正の内容】
【手続補正１３】
【補正対象書類名】明細書
【補正対象項目名】００９７
【補正方法】変更
【補正の内容】
【００９７】
加えて、上記実施形態にあっては、ＣＰＵ１３の制御下にて、画像処理部８の撮像条件取得部８ｅや画像合成部８ｇが駆動することにより本発明が実現される構成としたが、これに限られるものではなく、ＣＰＵ１３によって所定のプログラム等が実行されることにより実現される構成としても良い。
即ち、プログラムを記憶するプログラムメモリ（図示略）に、指示処理ルーチン、画像処理ルーチン及び合成処理ルーチンを含むプログラム、或いは領域指示処理ルーチン、明るさ取得処理ルーチン及び合成処理ルーチンを含むプログラム、或いは特定処理ルーチン、位置指示処理ルーチン及び合成処理ルーチンを含むプログラムを記憶しておく。そして、指示処理ルーチンによりＣＰＵ１３に、記録媒体９に複数記憶されている画像同士の合成を指示させるようにしても良い。また、画像処理ルーチンによりＣＰＵ１３に、合成が指示された画像に夫々関連付けられた撮像条件を記録媒体９より読み出し、一方の画像の撮像条件に近づくように他方の画像を処理させるようにしても良い。また、合成処理ルーチンによりＣＰＵ１３に、画像処理された他方の画像と一方の画像とを合成させるようにしても良い。
また、領域指示処理ルーチンによりＣＰＵ１３に、少なくとも二つの画像において、一方の画像における他方の画像を合成すべき領域を指示させるようにしても良い。また、明るさ取得処理ルーチンによりＣＰＵ１３に、指示された一方の画像の合成すべき領域の明るさを取得させるようにしても良い。また、合成処理ルーチンによりＣＰＵ１３に、他方の画像の明るさが、取得された一方の画像の合成すべき領域の明るさに近づくように処理を施し、二つの画像を合成させるようにしても良い。
また、特定処理ルーチンによりＣＰＵ１３に、少なくとも二つの画像において、一方の画像における光源の位置を特定させるようにしても良い。また、位置指示処理ルーチンによりＣＰＵ１３に、一方の画像において、他方の画像を合成すべき位置を指示させるようにしても良い。また、合成処理ルーチンによりＣＰＵ１３に、指示された位置と一方の画像の光源の位置とに基づいて他方の画像に処理を施し、二つの画像を合成させるようにしても良い。
【手続補正１４】
【補正対象書類名】特許請求の範囲
【補正対象項目名】全文
【補正方法】変更
【補正の内容】
【特許請求の範囲】
【請求項１】
少なくとも二つの画像において、一方の画像における他方の画像を合成すべき領域を指示する領域指示手段と、
この領域指示手段によって指示された一方の画像の合成すべき領域の明るさを取得する明るさ取得手段と、
前記他方の画像の明るさが、前記明るさ取得手段によって取得された一方の画像の合成すべき領域の明るさに近づくように処理を施し、前記二つの画像を合成する合成手段と、
を備えたことを特徴とする画像処理装置。
【請求項２】
前記少なくとも二つの画像において、一方の画像における光源の位置を特定する特定手段と、
前記一方の画像において、他方の画像を合成すべき位置を指示する位置指示手段と、
前記合成手段は、更に、前記一方の画像の光源の位置と前記位置指示手段によって指示された位置とに基づいて前記他方の画像に処理を施し、前記二つの画像を合成することを特徴とする請求項１に記載の画像処理装置。
【請求項３】
前記処理は、前記他方の画像の明るさを調整する処理、及び、前記他方の画像に影を付ける処理の少なくとも一方を含むことを特徴とする請求項２に記載の画像処理装置。
【請求項４】
前記他方の画像とは、背景と被写体とが存在する画像から被写体が含まれる領域を切り抜いた被写体画像であることを特徴とする請求項１〜３の何れか一項に記載の画像処理装置。
【請求項５】
画像処理装置のコンピュータを、
少なくとも二つの画像において、一方の画像における他方の画像を合成すべき領域を指示する領域指示手段、
この領域指示手段によって指示された一方の画像の合成すべき領域の明るさを取得する明るさ取得手段、
前記他方の画像の明るさが、前記明るさ取得手段によって取得された一方の画像の合成すべき領域の明るさに近づくように処理を施し、前記二つの画像を合成する合成手段、
として機能させることを特徴とするプログラム。